(57)【要約】    【課題】  複数の記録媒体における記録データの同一性を確保し、重要な画像データに対して安易に処理が行われないようにする。    【解決手段】  第１の記録媒体１１４に記録された第１のデータと第２の記録媒体１１６に記録された第２のデータのうち少なくとも一方に対する処理を行う処理手段１１７と、第１のデータが第２のデータに対して特定の関連性を有するか否かの判別を行う判別手段とを有する。そして、処理手段は、判別手段による判別結果に応じて上記処理の許否を決定する。    【選択図】  図８ 
2005176263.tif 000002
【特許請求の範囲】
【請求項１】
第１の記録媒体に記録された第１のデータと第２の記録媒体に記録された第２のデータのうち少なくとも一方に対する処理を行う処理手段と、
前記第１のデータが前記第２のデータに対して特定の関連性を有するか否かの判別を行う判別手段とを有し、
前記処理手段は、前記判別手段による判別結果に応じて前記処理の許否を決定することを特徴とする電子機器。
【請求項２】
前記処理手段は、前記判別手段により前記第１のデータが前記第２のデータに対して前記特定の関連性を有すると判別されたときは前記処理を許容し、前記第１のデータが前記第２のデータに対して前記特定の関連性を有さないと判別されたときは前記処理を禁止することを特徴とする請求項１に記載の電子機器。
【請求項３】
前記処理は、データの消去処理およびデータの変更に関する処理のうち少なくとも一方を含むことを特徴とする請求項１又は２に記載の電子機器。
【請求項４】
前記第１の記録媒体から前記処理の対象とする前記第１のデータを使用者に選択させる選択手段を有することを特徴とする請求項１から３のいずれか１つに記載の電子機器。
【請求項５】
前記第１および第２の記録媒体の装着がそれぞれ可能な第１および第２の媒体装着手段と、
前記第２の媒体装着手段に前記第２の記録媒体が装着されているか否かを検出する検出手段とを有し、
前記処理手段は、前記検出手段により前記第２の記録媒体が装着されていないことを検出したときは前記処理を禁止することを特徴とする請求項１から４のいずれか１つに記載の電子機器。
【請求項６】
前記処理手段は、前記処理を禁止したときは警告動作を行うことを特徴とする請求項１，２又は５に記載の電子機器。
【請求項７】
前記第２のデータに対して前記特定の関連性を有する前記第１のデータは、該第２のデータと同一データであることを特徴とする請求項１から６のいずれか１つに記載の電子機器。
【請求項８】
前記第１および第２のデータは同一の画像データであることを特徴とする請求項７に記載の電子機器。
【請求項９】
前記第２のデータに対して前記特定の関連性を有する前記第１のデータは、主データに該第２のデータと同一データが付加されたデータであることを特徴とする請求項１から６のいずれか１つに記載の電子機器。
【請求項１０】
前記主データは画像データであり、前記第２のデータは該画像データに関する権利情報のデータであることを特徴とする請求項９に記載の電子機器。
【請求項１１】
データを取得するデータ取得手段と、
前記取得したデータを前記第１および第２のデータとして前記第１および第２の記録媒体にそれぞれ記録する記録手段とを有することを特徴とする請求項１から８のいずれか１つに記載の電子機器。
【請求項１２】
前記記録手段は、前記取得したデータに、前記第２の記録媒体にも前記取得したデータを記録したことを示す情報を付加して前記第１の記録媒体に記録し、
前記判別手段は、該情報が付加された前記第１のデータが前記第２のデータと同一か否かを判別することを特徴とする請求項１１に記載の電子機器。
【請求項１３】
データを取得するデータ取得手段と、
前記取得したデータに前記第２のデータと同一データを付加した前記第１のデータを、前記第１の記録媒体に記録する記録手段とを有することを特徴とする請求項１から６，９および１０のいずれか１つに記載の電子機器。
【請求項１４】
前記判別手段は、前記第１のデータが、前記第２のデータと同一のデータが付加されたデータか否かを判別することを特徴とする請求項１３に記載の電子機器。
【請求項１５】
請求項１１から１４のいずれか１つに記載の電子機器であって、
被写体像を光電変換する撮像素子を有し、
前記データ取得手段は、前記撮像素子を用いて画像データを取得することを特徴とする撮像装置。
【請求項１６】
第１の記録媒体に記録された第１のデータと第２の記録媒体に記録された第２のデータのうち少なくとも一方に対する処理を行う処理ステップと、
前記第１のデータが前記第２のデータに対して特定の関連性を有するか否かの判別を行う判別ステップとを有し、
前記処理ステップにおいて、前記判別ステップによる判別結果に応じて前記処理の許否を決定することを特徴とするコンピュータに実行させるための制御プログラム。
【請求項１７】
前記処理ステップにおいて、前記判別ステップにより前記第１のデータが前記第２のデータに対して前記特定の関連性を有すると判別されたときは前記処理を許容し、前記第１のデータが前記第２のデータに対して前記特定の関連性を有さないと判別されたときは前記処理を禁止することを特徴とする請求項１６に記載の制御プログラム。
【請求項１８】
前記処理は、データの消去処理およびデータの変更に関する処理のうち少なくとも一方を含むことを特徴とする請求項１６又は１７に記載の制御プログラム。
【請求項１９】
前記第１の記録媒体から前記処理の対象とする前記第１のデータを使用者に選択させる選択ステップを有することを特徴とする請求項１６から１８のいずれか１つに記載の制御プログラム。
【請求項２０】
前記第２の記録媒体が装着されているか否かを検出する検出ステップを有し、
前記処理ステップにおいて、前記検出ステップにより前記第２の記録媒体が装着されていないことを検出したときは前記処理を禁止することを特徴とする請求項１６から１９のいずれか１つに記載の制御プログラム。
【請求項２１】
前記処理ステップにおいて、前記処理を禁止したときは警告動作を行うことを特徴とする請求項１７又は２０に記載の制御プログラム。
【請求項２２】
前記第２のデータに対して前記特定の関連性を有する前記第１のデータは、該第２のデータと同一データであることを特徴とする請求項１６から２１のいずれか１つに記載の制御プログラム。
【請求項２３】
前記第１および第２のデータは同一の画像データであることを特徴とする請求項２２に記載の制御プログラム。
【請求項２４】
前記第２のデータに対して前記特定の関連性を有する前記第１のデータは、主データに該第２のデータと同一データが付加されたデータであることを特徴とする請求項１６から２１のいずれか１つに記載の制御プログラム。
【請求項２５】
前記主データは画像データであり、前記第２のデータは該画像データに関する権利情報のデータであることを特徴とする請求項２４に記載の制御プログラム。
【請求項２６】
データを取得するデータ取得ステップと、
前記取得したデータを前記第１および第２のデータとして前記第１および第２の記録媒体にそれぞれ記録する記録ステップとを有することを特徴とする請求項１６から２３のいずれか１つに記載の制御プログラム。
【請求項２７】
前記記録ステップにおいて、前記取得したデータに、前記第２の記録媒体にも前記取得したデータを記録したことを示す情報を付加して前記第１の記録媒体に記録し、
前記判別ステップにおいて、該情報が付加された前記第１のデータと、前記第２のデータとが同一か否かを判別することを特徴とする請求項２６に記載の制御プログラム。
【請求項２８】
データを取得するデータ取得ステップと、
前記取得したデータに前記第２のデータと同一データを付加した前記第１のデータを、前記第１の記録媒体に記録する記録ステップとを有することを特徴とする請求項１６から２１，２４および２５のいずれか１つに記載の制御プログラム。
【請求項２９】
前記判別ステップにおいて、前記第１のデータが、前記第２のデータと同一のデータが付加されたデータか否かを判別することを特徴とする請求項２８に記載の制御プログラム。
【発明の詳細な説明】
【技術分野】
【０００１】
本発明は、データを記録媒体に記録する電子機器および撮像装置に関するものである。
【背景技術】
【０００２】
複数のメモリカードが装着可能な撮像装置として、特許文献１にて提案されているものがある。この撮像装置は、２つ以上のメモリスロットを有しており、撮像動作により得られた１つの画像データを、複数のメモリカードに記録するモード（複数記録モード）を有している。
【特許文献１】特開平７−２３１４２０号公報（段落００１９〜００２０、図２等）
【発明の開示】
【発明が解決しようとする課題】
【０００３】
しかしながら、上記従来の撮像装置では、複数記録モードによって同一の画像データを記録した２つの記録媒体のうち一方から該画像データを削除することに対して何ら制限がない。したがって、複数記録モードの持つメリットの１つであるバックアップデータの作成機能の意義が薄れる。
【０００４】
また、上記２つの記録媒体のうち一方から画像データを削除した場合、両記録媒体に記録されている画像データに差が生じてしまう。この結果、誤って画像データを消去していない側の記録媒体から画像データをインターネット上等にて配布したときに、削除したと思いこんでいた画像まで公開してしまうおそれがある。
【０００５】
また、重要な画像データが安易に記録媒体から削除できたり、データ改変できたりすると、その画像データを保護することができない。
【０００６】
本発明は、複数の記録媒体に記録されたデータの同一性を確保でき、さらには重要な画像データに対して安易に処理が行われないようにすることができる電子機器および撮像装置を提供することを目的としている。
【課題を解決するための手段】
【０００７】
上記の目的を達成するために、本発明では、第１の記録媒体に記録された第１のデータと第２の記録媒体に記録された第２のデータのうち少なくとも一方に対する処理を行う処理手段と、第１のデータが第２のデータに対して特定の関連性を有するか否かの判別を行う判別手段とを有する。そして、処理手段は、判別手段による判別結果に応じて上記処理の許否を決定する。
【発明の効果】
【０００８】
本発明によれば、特定の関連性を有するデータが記録された第１および第２の記録媒体が揃っているか否かによって、それらデータ（少なくとも一方）に対する消去や変更に関わる操作等の処理を制限することができる。したがって、複数の記録媒体におけるデータに不一致が生じたり、記録データに対して安易に処理が行われてしまったりすることを未然に防止することができる。
【０００９】
特に、取得したデータを第１のデータおよび第２のデータとしてそれぞれ第１および第２の記録媒体に記録できる機能（複数記録機能）を有する場合に上記処理の制限機能を付加することにより、複数記録機能の持つメリットの１つであるバックアップデータの作成効果をより有意義なものとすることができる。
【００１０】
また、取得したデータに第２の記録媒体に記録された第２のデータを付加した第１のデータを、第１の記録媒体に記録できる機能（データ付加記録機能）を有する場合に上記処理の制限機能を付加することにより、該データ付加記録機能により作成されたデータの保護や改変防止に有効である。
【発明を実施するための最良の形態】
【００１１】
以下、本発明に好適な実施例について図面を参照しながら説明する。なお、以下の実施例では、撮像素子（ＣＣＤセンサ、ＣＭＯＳセンサ等）を用いて画像データを生成する機能を有する装置を撮像装置と呼ぶ。つまり、以下の実施例における撮像装置は、デジタルカメラ、デジタルビデオカメラ、カメラ付き携帯電話等の装置を含む。
【実施例１】
【００１２】
図５は、上記撮像装置の上面の構成を示す図、図６は同撮像装置の背面の構成を示す図である。図５および図６において、１は撮像装置（本体）、２はファインダー観察用の接眼窓である。３はＡＥ（自動露出）ロックボタン、４はＡＦ（オートフォーカス）の測距点選択ボタンである。５は撮像装置１を縦位置に構えたときに使用する縦位置用ＡＥ（自動露出）ロックボタンで、ＡＥロックボタン３と同一の機能を有する。
【００１３】
６は撮像装置１を縦位置に構えたときに使用する縦位置用の測距点選択ボタンで、測距点選択ボタン４と同一の機能を有する。
【００１４】
７は撮影操作を行うためのレリーズボタンであり、第１ストローク操作でＳＷ１がオンし、第２ストローク操作でＳＷ２がオンする構成となっている。
【００１５】
８はメイン電子ダイヤルで、他の操作ボタンと併用して、カメラに数値を入力したり、撮影モードを切り換えたりすることが可能となる。
【００１６】
９は撮影モード選択ボタン、１０はＡＦモード選択ボタンである。１１は測光モード選択ボタンで、調光補正ボタンも兼ねている。
【００１７】
１２は撮影条件等を表示する外部表示機能を備えた液晶表示パネルからなる外部表示器である。なお、外部表示器１２の表示内容については後述する。
【００１８】
１３は外部液晶器１２の裏面に設置されている不図示のバックライト照明装置をオン／オフするための表示パネル照明ボタンである。１４は露出の補正を行うための露出補正ボタンである。
【００１９】
図６において、１５は不図示のアイピースシャッターを駆動させるための、アイピースシャッターレバーである。このアイピースシャッターレバー１５を時計回り方向に回動させることにより、不図示のアイピースシャッターが接眼窓２を覆い、接眼窓からの光の入射を防ぐことができる。
【００２０】
１６は視度の調整を行うための、視度補正ダイヤルである。この視度補正ダイヤル１６を回転させることにより、不図示の視度補正レンズが駆動し、視度調整を行うことができる。
【００２１】
１７はメイン電子ダイヤル８と同様の機能を備えた、サブ電子ダイヤルである。撮影モード選択ボタン９とメイン電子ダイヤル８によりマニュアルモードが設定された時には、絞り値の入力設定、プログラムモード（Ｐ）・シャッター優先モード（Ｔｖ）・絞り優先モード（Ａｖ）においては測光した適正露出に対し、カメラの制御露光量を変更する露出補正量の入力設定を行うものである。
【００２２】
１８はこのサブ電子ダイヤル１７による入力機能をロックするダイヤルロックスイッチ、１９は本撮像装置の全ての動作を禁止するメインスイッチである。
【００２３】
２０は撮影された画像を表示する際や本撮像装置の設定状態などを表示するカラー液晶ディスプレイを有する表示部（以下、ＬＣＤという）である。
【００２４】
なお、本実施例におけるＬＣＤ２０は透過型液晶を用いているため、ＬＣＤ２０の駆動だけでは画像を視認することはできない。このため、その裏面には不図示のバックライト照明が設けられている。
【００２５】
２１は画像を記録するための記録媒体が挿入されているメモリスロットを選択するためのメモリスロット選択ボタンである。メモリスロット選択ボタン２１を押した後、サブ電子ダイヤル１７を回転させることにより、記録媒体の選択を行うことができる。
【００２６】
２２はカメラの初期設定を行う際に各種モードを選択するためのメニューボタンである。各モードを選択する時は、このメニューボタン２２を押しながらサブ電子ダイヤル１７を回転させて希望のモードを選択する。希望のモードが選択された時、メニューボタン２２を離すと選択が完了する。その後、選択したモードの機能をオン／オフするためには、選択ボタン２３を押しながらサブ電子ダイヤル１７を回転してオン／オフのどちらかを選択後、選択ボタン２３を離すことで選択が完了する。
【００２７】
２４は記録媒体内に記録されている画像データ（画像ファイル）を、ＬＣＤ２０に表示させるためのディスプレイボタンである。ディスプレイボタン２４を押しながらサブ電子ダイヤル１７を回転させることで、画像ファイルが順次ＬＣＤ２０に表示され、希望の画像を選択した後ディスプレイボタン２４を離すことで選択が完了し、ＬＣＤ２０に表示される。
【００２８】
２５は記録媒体に記録されている画像ファイルを消去するための消去ボタンで、ディスプレイボタン２３とサブ電子ダイヤル１７にて画像を選択した後、消去ボタン２５を押すことで、該画像データの消去が可能である。
【００２９】
２６は撮影した画像ファイルの圧縮率や画像サイズなどを選択する記録画質選択ボタンである。メニューボタン２２とサブ電子ダイヤル１７とで画質変更モードを選択した後、この記録画質選択ボタン２６とサブ電子ダイヤル１７にて希望の圧縮率や画像サイズを選択し、記録画質選択ボタン２６を離すことで選択が完了する。
【００３０】
２７は予め不図示のメモリに記憶されているホワイトバランス調整値を選択するためのホワイトバランス選択ボタンである。メニューボタン２２とサブ電子ダイヤル１７とでホワイトバランス変更モードを選択した後、ホワイトバランス選択ボタン２７とサブ電子ダイヤル１７にて希望のホワイトバランス調整値を選択し、ホワイトバランス選択ボタン２７を離すことで選択が完了する。
【００３１】
２８はメモリスロットカバー開閉つまみで、このメモリスロットカバー開閉つまみ２８を反時計回り方向に回すことで、メモリスロットカバー２９が開放され、記録媒体の装着や中に収納されている記録媒体の取り外しを行うことが可能となる。
【００３２】
３０はアクセスランプで、装着されている記録媒体に撮影した画像ファイルを書き込む時や、記録媒体に書き込まれた画像ファイルを読み出す場合など、記録媒体にアクセス中であるときに点滅する。
【００３３】
さらに、本撮像装置に搭載されたアクセスランプ３０は、２つの異なる色での発光が可能である。これにより、２つの記録媒体が装着されているときは、アクセスしている記録媒体によってアクセスランプ３０の色を変えることできるので、撮影者はどちらの記録媒体へアクセスしているかを確認することができる。
【００３４】
３１は撮像装置１のグリップ部内に配置されている第１のメモリスロット（第１の媒体装着部）である。３３は第１のメモリスロット３１に装着されている第１の記録媒体を取り外すために操作される第１のカード取り外しボタンである。
【００３５】
３２は、撮像装置１のグリップ部内に配置されている第２のメモリスロット（第２の媒体装着部）である。３３は第２のメモリスロット３２に装着されている第２の記録媒体を取り外すために操作される第２のカード取り外しボタンである。
【００３６】
３５は本撮像装置を駆動するための電源電池である。なお、本実施例の撮像装置は、一眼レフタイプの撮像装置であり、後述する撮影レンズが不図示のマウントを介して装着されることにより、撮像が可能となる。
【００３７】
次に図７を用いて、外部表示器１２の表示内容について説明する。図７において、１２ａは設定されている撮影モードを表示する指標であり、図７においてはマニュアルモード（Ｍ）が設定されている状態を表示している。
【００３８】
１２ｂは、絞り値を表示する７セグメントであり、１２ｃはシャッタースピードを表示する７セグメントである。
【００３９】
１２ｄは撮影可能枚数を表示する７セグメントであり、１２ｈは現在書き込みを行っているメモリカードを表示する指標である。
【００４０】
なお、本撮像装置においては、コンパクトフラッシュ（登録商標）（以下、ＣＦとも記載する）とＳＤメモリカード（以下、ＳＤとも記載する）の２種類のメモリカードの装着が可能であるように構成されている。また、コンパクトフラッシュ（登録商標）が装着されるメモリスロットには、マイクロドライブ（磁気記録媒体の一例）が装着可能である。そして、両方のメモリカードに対して同様の画像ファイルを同時に記録する「複数記録モード」（第２の記録動作）と、どちらか一方のメモリカードにだけ画像ファイルの記録を行う「通常記録モード」（第１の記録動作）とを備えている。
【００４１】
「複数記録モード」が選択されているときは、指標１２ｈに「ＣＦ」・「ＳＤ」の両方を表示して、７セグメント１２ｄには、記録できる容量が少ない方のメモリカードの撮影可能枚数を表示する。
【００４２】
また、「通常記録モード」が選択されているときには、指標１２ｈに書き込みを行うメモリカードが表示される（「ＣＦ」・「ＳＤ」のどちらか一方が表示される）。また、そのとき、７セグメント１２ｄには、選択されたメモリカードの撮影可能枚数が表示される。
【００４３】
１２ｅはＡＦモードの状態を表示する指標であり、１２ｆはドライブモードの状態を表示する指標である。１２ｇは露出補正量をドットにて表示する指標であり、１ドットは１／３段を表している。１２ｊは電源電池３５の残り容量の目安を表示する指標であり、１２ｋは測光モードの状態を表示する指標である。
【００４４】
図８には、本実施例の撮像装置の内部構成を示している。本実施例の撮像装置は、不図示のマウントを介して撮像装置１に装着された撮影レンズ１５０を駆動するレンズ駆動回路１２２、メカニカルシャッターユニット１２１、固体撮像素子１００、アナログ信号処理回路１０１、Ａ／Ｄ変換器１０２、メイン信号処理回路１０３、メモリ１０８、Ｄ／Ａ変換器１０９、ＬＣＤ２０を駆動する外部映像表示回路１１０、圧縮／解凍回路１１２、メモリカード１１４，１１６を装着するメモリスロット１１３，１１５、コントロール回路１２０およびＣＰＵ（中央演算処理回路）１１７等から構成されている。なお、固体撮像素子１００、アナログ信号処理回路１０１、Ａ／Ｄ変換器１０２およびメイン信号処理回路１０３により、データ取得手段が、圧縮／解凍回路１１２およびＣＰＵ１１７により記録手段が、ＣＰＵ１１７により判別手段および処理手段が構成される。
【００４５】
１４３はメインスイッチ１９の操作によってオン／オフされるメインスイッチであり、本撮像装置の全ての動作の作動・非作動を設定する。
【００４６】
１４２はダイヤルロックスイッチ１８の操作によってオン／オフされるサブ電子ダイヤルスイッチであり、サブ電子ダイヤル１７による入力機能を作動・非作動を設定する。
【００４７】
１２６はレリーズボタン７の第１ストローク操作によりオンする第１スイッチ（ＳＷ１）である。１２７はレリーズボタン７の第２ストローク操作によりオンする第２スイッチ（ＳＷ２）である。第１スイッチ１２６がオンされると、測光および合焦制御が行われ、第２スイッチ１２７がオンされるとレリーズ動作（撮像および記録動作）が開始される。
【００４８】
１２８はメイン電子ダイヤル８の回転に連動して信号を発生するメイン電子ダイヤルスイッチである。このメイン電子ダイヤルスイッチ１２８は、メイン電子ダイヤル８の回転で、例えば９０°位相のずれた２ビットの信号をスイッチセンス回路に送る。これにより、メイン電子ダイヤル８の回転方向と回転クリック数が検出される。この回転方向と回転クリック数を検出することで、他の操作ボタンと併用して、ＣＰＵ１１７に数値を入力したり、撮影モードを切り換えたりすることが可能となる。
【００４９】
１２９はサブ電子ダイヤル１７の回転に連動して信号を発生するサブ電子ダイヤルスイッチである。このサブ電子ダイヤルスイッチ１２９は、サブ電子ダイヤル１７の回転で、例えば９０°位相のずれた２ビットの信号をスイッチセンス回路に送る。これにより、サブ電子ダイヤル１７の回転方向と回転クリック数が検出される。この回転方向と回転クリック数を検出することで、他の操作ボタンと併用して、ＣＰＵ１１７に数値を入力したり、撮影モードを切り換えたりすることが可能となる。
【００５０】
１４７はＡＥロックボタン３（又は縦位置用ＡＥロックボタン５）を押し込むことによってオンするＡＥ（自動露出）ロックスイッチである。１４８は測距点選択ボタン４（又は縦位置用測距点選択ボタン６）を押し込むことによってオンする測距点選択スイッチである。
【００５１】
１４９は撮影条件等を表示する外部表示機能を備えた外部表示器１２を駆動する外部表示回路である。
【００５２】
ＬＣＤ２０を駆動して撮影画像を表示させる外部映像表示回路１１０には、画像の表示以外にメモリスロット選択ボタン２１、メニューボタン２２、選択ボタン２３、ディスプレイボタン２４の操作に応じて対応するメニュー・設定項目・選択項目等が表示される。
【００５３】
撮影レンズ１５０は、被写体像を撮像素子１００の撮像面に結像させる。本実施例では、撮影レンズ１５０は、撮像装置１に着脱可能に構成されている。なお、図７では簡略化してあるが、撮影レンズ１５０は、１枚または複数枚のレンズで構成され、単一の焦点距離（固定焦点）のレンズでもよいし、ズームレンズやステップズームレンズ等のように焦点距離可変のレンズでもよい。また、本発明は、撮影レンズが撮像装置に一体的（着脱不可）に設けられた撮像装置にも適用することができる。
【００５４】
１２２は撮影レンズ１５０のフォーカス駆動やズーム駆動を行うためのレンズ駆動回路である。１５１は露出制御を行うための絞りである。１２３は絞り１５１を駆動するための絞り駆動回路である。
【００５５】
１４５は撮影モード選択ボタン９を押し込むことによってオンする撮影モード選択スイッチ、１４４はＡＦモード選択ボタン１０を押し込むことによってオンするＡＦモード選択スイッチ、１４６は測光モード選択ボタン１１を押し込むことによってオンする測光モード選択スイッチである。この測光モード選択スイッチ１４６は、調光補正スイッチも兼ねている。
【００５６】
例えば、撮影モード選択ボタン９を押しながらメイン電子ダイヤル８を回転させると、Ｔｖ優先→Ａｖ優先→マニアル→プログラム→Ｔｖ優先→Ａｖ優先→マニアル→プログラム…と撮影モードが変更され、撮影者の意図する撮影モードを設定することができる。
【００５７】
また、メイン電子ダイヤル８を逆回転させたときは、プログラム→マニアル→Ａｖ優先→Ｔｖ優先→プログラム→…とモードは変更される。また、撮影モード選択ボタン９とメイン電子ダイヤル８によりＴｖ優先が撮影モードとして設定されている場合には、メイン電子ダイヤル８を回転させることにより撮影者の希望するＴｖ値を設定することができる。また、撮影モード選択ボタン９とメイン電子ダイヤル８によりＡｖ優先が撮影モードとして設定されている場合には、メイン電子ダイヤル８を回転させることにより撮影者の希望とするＡｖ値を設定することができる。
【００５８】
測光モード選択ボタン１１とＡＦ選択モードボタン１０を同時に押し込んだ状態でメイン電子ダイヤル８を操作すると、撮像時の撮像感度を変更することができる。
【００５９】
測光モード選択ボタン１１と撮影モード選択ボタン９を同時に押し込んだ状態でメイン電子ダイヤル８を操作すると、単写・連写・セルフタイマーの何れかからドライブモードを選択することができる。
【００６０】
撮影モード選択ボタン９とＡＦモード選択ボタン１０を同時に押し込んだ状態でメイン電子ダイヤル８を操作すると、ＡＥＢ（オート露出ブラケット）撮影モードのブラケット段数を設定することができる。
【００６１】
１３９は表示パネル照明ボタン１３を押し込むとオンする表示パネル照明スイッチである。この表示パネル照明スイッチ１３９がオンすると、外部表示器１２のバックライト照明が行われ、暗闇でも表示内容を読み取り可能な状態にする。
【００６２】
１３８は露出補正ボタン１４を押し込むとオンする露出補正スイッチである。この露出補正スイッチ１３８をオンした状態でメイン電子ダイヤル８を操作すると、露出補正値を設定することができる。
【００６３】
１３５はメモリスロットカバー２９の開閉に応じてオン／オフするスロットカバー開閉検出スイッチである。１３０はメモリスロット選択ボタン２１を押し込むとオンするスロット選択スイッチである。メモリスロット選択ボタン２１を押し込み、スロット選択スイッチ１３０をオンさせた状態でサブ電子ダイヤル１７を操作することによって、撮像により得られた画像データの保存先・再生データの取得先・データの管理先のメモリスロットを選択することができる。メモリスロット１１３には、メモリカード１１４が着脱自在に装着される。
【００６４】
１３６はスロット１カード検出スイッチで、メモリスロット１１３にメモリカード１１４が装着されたときにオンする。
【００６５】
メモリスロット１１５には、メモリカード１１６が着脱自在に装着される。１３７はスロット２カード検出スイッチで、メモリスロット１１５にメモリカード１１６が装着されたときにオンする。
【００６６】
メニュースイッチ１３１は、メニューボタン２２を押し込むとオンするスイッチである。メニューボタン２２を押し込み、メニュースイッチ１３１をオンし、サブ電子ダイヤル１７を操作することで、設定項目を選択することができる。このときの設定項目の表示は、ＬＣＤ２０にて行われる。
【００６７】
ＳＥＬＥＣＴ（選択）スイッチ１３２は、選択ボタン２３を押し込むとオンするスイッチである。選択ボタン２３を押し込み、ＳＥＬＥＣＴ（選択）スイッチ１３２をオンさせ、サブ電子ダイヤル１７を操作することで、メニューボタン２２で選択した設定項目の設定値を変更することができる。このとき、設定項目の設定値の表示は、ＬＣＤ２０にて行われる。
【００６８】
ディスプレイスイッチ１３３は、ディスプレイボタン２４を押し込むとオンするスイッチである。ディスプレイボタン２４を押し込み、ディスプレイスイッチ１３３をオンさせると、ＬＣＤ２０にメモリカードに入っている画像が表示される。
【００６９】
消去スイッチ１３４は、消去ボタン２５を押し込むとオンするスイッチである。ＬＣＤ２０に画像が表示されているときに消去ボタン２５を押し込み、消去スイッチ１３４をオンさせると、表示されている画像データをメモリカード上から削除することができる。また、消去スイッチ１３４をオンさせたままの状態で保持すると、ＬＣＤ２０にメモリカードに保存された画像データを一括消去するかどうか問い合わせるメニューが表示される。このとき、サブ電子ダイヤル１７を操作して、一括消去を選択し、消去ボタン２５を解放して消去スイッチ１３４をオフさせると、メモリカード内の画像データを一括消去することができる。
【００７０】
１２４は測光回路で、不図示のフォーカシングスクリーンに結像された被写体像の輝度を、不図示の光学部材を介して測定する。この測光装置１２４の出力信号に基づいて露光時の露出制御が行われる。
【００７１】
１２５は焦点検出回路で、該焦点検出回路１２５の出力信号に基づいて撮影レンズ１５０のレンズ駆動回路１２２を制御し、撮影レンズ１５０にて焦点調節を行う。
【００７２】
１２１はメカニカルシャッターユニットで、被写体からの光束の撮像面への入射時間を機械的に制御する。このメカニカルシャッターユニット１２１は、ファインダー観察時には被写体光束を遮光し、撮影時にはレリーズ信号に応じて被写体光束の光路から退避して露光を開始させる先羽根群と、ファインダー観察時に被写体光束の光路から退避し、撮影時には先羽根群の走行（駆動）開始後の所定のタイミングで被写体光束を遮光する後羽根群とを有するフォーカルプレーンシャッターである。
【００７３】
１００は固体撮像素子で、撮影レンズ１５０により結像した被写体像を光電変換して電気信号を出力する。この固体撮像素子１００としては、２次元型撮像デバイスが用いられている。この撮像デバイスには、ＣＣＤ型、ＣＭＯＳ型、ＣＩＤ型等、様々な形態があり、いずれの形態の撮像デバイスを採用してもよい。本実施例においては、光電変換素子（フォトセンサ）が２次元的に配置され、各フォトセンサで蓄積された信号電荷が垂直転送路および水平転送路を介して出力されるインターライン型ＣＣＤ（電荷結合素子）の撮像素子が採用されている。
【００７４】
また、固体撮像素子１００は、各フォトセンサに蓄積される電荷の蓄積時間（シャッター秒時）を制御する、いわゆる電子シャッター機能を有している。
【００７５】
撮影レンズ１５０を透過してきた被写体光束は、絞り駆動回路１２３によって駆動される絞り１５１とメカニカルシャッターユニット１２１とでその光量が調整され、固体撮像素子１００上に投影結像される。このとき、固体撮像素子１００は、コントロール回路１２０を介して電荷の蓄積時間が制御される。固体撮像素子１００の受光面（撮像面）に結像した被写体像は、各フォトセンサで光の入射光量に応じた量の信号電荷に変換され、撮像出力信号として順次読み出された後、アナログ信号処理回路１０１に供給される。
【００７６】
アナログ信号処理回路１０１は、ＣＤＳクランプ回路やゲイン調整回路等を含み、固体撮像素子１００から入力した撮像出力信号（アナログ電気信号）をコントロール回路１２０の制御に基づいて適宜処理する。
【００７７】
アナログ信号処理回路１０１から出力された信号は、Ａ／Ｄ変換器１０２によってデジタル信号に変換された後、メイン信号処理回路１０３へ送られる。
【００７８】
メイン信号処理回路１０３は、ゲイン調整回路１０４、オフセット回路１０５、ヒストグラム生成回路１０７およびデジタル信号処理回路１０６等からなる。Ａ／Ｄ変換器１０２から出力されたデータは、ゲイン調整回路１０４およびオフセット回路１０５を経由して、ヒストグラム生成回路１０７およびデジタル信号処理回路１０６へ送られる。
【００７９】
ヒストグラム生成回路１０７は、Ａ／Ｄ変換器１０２から送られた１画面分のデータから信号レベルに対する撮像出力信号の積算値の分布を示すヒストグラムを作成する。そして、このヒストグラム演算に基づいてゲイン値やオフセット値が決定され、ＣＰＵ１１７からコントロール回路１２０を介してゲインおよびオフセットが制御される。
【００８０】
このように、ゲインとオフセットのコントロールを経由した信号は、デジタル信号処理回路１０６に送られる。デジタル信号処理回路１０６は、輝度（Ｙ）信号生成回路および色差（Ｃ）信号生成回路を含み、オフセット回路１０５から入力した信号をＹ／Ｃ信号処理する。そして、デジタル信号処理回路１０６でＹ／Ｃ信号処理された画像データは、メモリ１０８に一時記憶される。
【００８１】
このメモリ１０８に記憶された画像データはデコードされた後、Ｄ／Ａ変換器１０９でアナログ信号に変換され、外部映像表示回路１１０に供給される。こうして、ＬＣＤ２０には、固体撮像素子１００で捉えた映像が表示される。このＬＣＤ２０には、レリーズボタン７の操作によりオンするレリーズスイッチ（ＳＷ２）１２７によって発せられる撮影開始信号に基づいて撮影した静止画が表示される。
【００８２】
なお、Ｄ／Ａ変換器１０９でアナログ信号に変換された信号は、不図示のビデオ出力端子等から外部映像出力１１１として取り出すことができる。
【００８３】
また、撮影開始信号の入力に応じて取得された撮像画像データは、メモリ１０８から圧縮／解凍回路１１２に導かれ、ここで所定の形式（例えば、ＪＰＥＧ）に従って圧縮処理された後、記録媒体としてのメモリカード１１４もしくはメモリカード１１６に記録される。
【００８４】
なお、本実施例では、コンパクトフラッシュ（登録商標）、ＳＤメモリカードが記録媒体として用いられるが、スマートメディアやＩＣカード等、種々の形態の記録媒体を使用していもよい。
【００８５】
メモリカード１１４もしくはメモリカード１１６に記録された画像データは、ＣＰＵ１１７を介して読み出しが可能であり、該読み出された画像データは、圧縮／解凍回路１１２で解凍再生処理された後、メモリ１０８、Ｄ／Ａ変換器１０９を介して外部映像表示回路１１０に出力され、ＬＣＤ２０に表示される。また、不図示のビデオ信号出力端子等に供給され、他の外部機器にも出力可能である。
【００８６】
ＣＰＵ１１７は、該撮像装置内のコンピュータとしての機能を有し、測光回路１２４、焦点検出回路１２５、コントロール回路１２０、ヒストグラム生成回路１０７、デジタル信号処理回路１０６、メモリ１０８、メモリカード１１４、メモリカード１１６および各スイッチと接続されており、内蔵されたメモリに格納されたプログラムに従って、露出値や撮影レンズ１５０の焦点位置等の各種演算を行ったり、自動露光制御、オートフォーカス、オートストロボ、オートホワイトバランス等の制御を行ったり、後述する画像データの記録、再生および消去、圧縮率変更等の処理を制御したりする。
【００８７】
また、ＣＰＵ１１７は、レリーズボタン７やメイン電子ダイヤル８，サブ電子ダイヤル１７，撮影モード選択ボタン９、ＡＦモード選択ボタン１０および測光モード選択ボタン１１等の操作部から入力される各種信号に基づいて、対応する回路を制御する。特に、本実施例では、ＣＰＵ１１７は、「通常記録モード」と「複数記録モード」の設定を自動的に行うために、該設定を制御する。
【００８８】
測光回路１２４の出力信号は、ＣＰＵ１１７に送られ、このＣＰＵ１１７において露光時間を示す露出制御値が算出される。そして、得られた露出制御値は、ＣＰＵ１１７からコントロール回路１２０に送られ、該コントロール回路１２０を介して自動露光制御、オートストロボ、オートホワイトバランス等の制御が行われる。
【００８９】
温度センサ１１９は撮像装置１の温度を測定するセンサである。ブザー１２８は、主に撮影時の警告などに用いられる。
【００９０】
１５２はメモリカード１１４もしくはメモリカード１１６へのアクセス状態を表示するためのＬＥＤであり、２色発光タイプとなっている。これは図２にて示されたアクセスランプ３０に配置されている。
【００９１】
コントロール回路１２０は、ＣＰＵ１１７から送られた露出制御値に基づいて固体撮像素子１００の駆動回路を制御する。具体的には、電子シャッター制御モード時には、固体撮像素子１００の電荷蓄積時間を、メカニカルシャッター制御モード時には、メカニカルシャッターユニット１２１の開閉タイミング等を制御する。また、露光時には、絞り駆動回路１２６を制御する。
【００９２】
次に、図２を用いて、本実施例の撮像装置における撮影シーケンスについて説明する。まず、ＣＰＵ１１７は、ステップＳ２００で、メインスイッチレバー１９が操作された結果、メインスイッチ１４３がオンされると、撮像装置は撮影のためのスタンバイ状態になる。
【００９３】
次に、ステップＳ２０１において、レリーズボタン７の第１ストローク操作によってレリーズスイッチＳＷ１（１２６）がオンになると、次のステップＳ２０２にて、測光回路１２４による測光を行うとともに、ステップＳ２０３にて、焦点検出回路１２５による焦点検出とを行う。そして、ステップＳ２０４では、ステップＳ２０３での焦点検出結果に基づいて撮影レンズ１５０におけるフォーカスレンズの駆動量を演算し、これをレンズ駆動回路１２２に送信することで、オートフォーカス駆動を行わせる。
【００９４】
次に、ステップＳ２０５では、ステップＳ２０２での測光結果に基づいて露出制御値を決定する。
【００９５】
次に、ステップＳ２０６では、レリーズボタン７の第２ストローク操作によってレリーズスイッチＳＷ２（１２７）がオンすると、撮像動作に入る。すなわち、ステップＳ２０７では、ＣＰＵ１１７はコントロール回路１２０に露出制御値を送る。コントロール回路１２０は、固体撮像素子１００の電荷蓄積動作を開始させるとともに、ステップＳ２０８でメカニカルシャッターユニット１２１に先幕走行開始信号を出力し、先羽根群（先幕）の開放駆動を開始させる。次のステップＳ２０９では、固体撮像素子１００への露光と該露光光の電荷蓄積が行われる。
【００９６】
そして、次のステップＳ２１０では、コントロール回路１２０は、先のステップＳ２０７でＣＰＵ１１７から送られた露出制御値に基づき決定したＴｖ値に応じたタイミングでメカニカルシャッターユニット１２１に後幕走行開始信号を出力し、後羽根群の遮蔽駆動を開始させる。こうして、先羽根群と後羽根群による固体撮像素子１００への露光動作を終了する。
【００９７】
メカニカルシャッターユニット１２１における後幕走行の終了後も、固体撮像素子１００の電荷値蓄積動作を継続させる。この際、露光時に必要以上の光が入射することで発生するスミアの影響を除去するため、ステップＳ２１１では、固体撮像素子１００の光電変換素子に蓄積された電荷信号を垂直転送ＣＣＤへ移す前に、垂直転送ＣＣＤに漏れ込んだスミア成分を読み出す（垂直転送）。そして、このスミア成分を掃き捨てた後、ステップＳ２１２へ進む。
【００９８】
ステップＳ２１２では、固体撮像素子１００の電荷蓄積動作を終了させ、光電変換素子に蓄積された電荷信号を垂直転送ＣＣＤへ転送するとともに、電荷信号の読み出し動作である通常読み出しを行う。
【００９９】
次に、ステップＳ２１３では、所定の画像処理を行った後、次のステップＳ２１４で記録モードの判別を行う。設定された記録モードが「通常記録モード」であれば、ステップＳ２１５に移行する。「複数記録モード」であれば、ステップＳ２１６へ移行する。
【０１００】
ステップＳ２１５では、メモリスロット選択ボタン２１（スロット選択スイッチ１３０）とサブ電子ダイヤル１７とで選択されたメモリカードに、先の撮像動作によって取得された画像データを記録する。これが「通常記録モード」での記録動作となる。
【０１０１】
ステップＳ２１６では、先の撮像動作によって取得された画像データと「複数記録モード」で記録したことを示す複数記録情報（つまりは他方のメモリカードにも取得した画像データを記録したことを示す情報）を合成（付加）する。
【０１０２】
そしてステップＳ２１７では、メモリカード１１４およびメモリカード１１６に、ステップＳ２１６で複数記録情報を合成した画像データを同時もしくは順番に記録する。これが「複数記録モード」での記録動作となる。
【０１０３】
次に図１を用いて、本実施例における画像編集シーケンス（制御プログラム）について説明する。ここでは、少なくとも図２の撮像シーケンスにおいて撮像画像データが記録されたメモリカード１１４がメモリスロット１１３に装着されているものとして説明する。
【０１０４】
まず、ステップＳ１０１において、ＣＰＵ１１７は、ディスプレイボタン２４が押し込まれ、ディスプレイスイッチ１３３がオンしたか否かを判別する。オンしていれば、ステップＳ１０２に進む。
【０１０５】
ステップＳ１０２では、外部映像表示回路１１０を通じてＬＣＤ２０に、図２の撮像シーケンスにより最後に撮像され、メモリカード１１４に記憶されている画像データを表示させる。
【０１０６】
次に、ステップＳ１０３では、選択ボタン２３が押し込まれてＳＥＬＣＥＣＴ（選択）スイッチ１３２がオンしたか否かを判別する。オンしていればステップＳ１０４に進み、オンしていなければステップＳ１０１に戻る。
【０１０７】
ステップＳ１０４では、サブ電子ダイヤル１７が操作されることによって変化するサブ電子ダイヤルスイッチ１２９の状態を確認する。電子ダイヤルスイッチ１２９の状態が変化していればサブ電子ダイヤル１７の回転方向とクリック数を検出し、不図示のメモリに記憶して、ステップＳ１０５に進む。変化していなけばステップＳ１０２に戻る。
【０１０８】
ステップＳ１０５では、メモリカード１１４に記憶されている画像データから、ステップＳ１０４で記憶されたサブ電子ダイヤル１７の回転方向およびクリック数に応じた画像データを選択し、ＬＣＤ２０上での表示画像を切り換える。
【０１０９】
次に、ステップＳ１０６では、選択ボタン２３が押し込まれてＳＥＬＣＥＣＴ（選択）スイッチ１３２がオンしているか否かを判別する。オンしていればステップＳ１０４に戻り、オフしていればステップＳ１０７に進む。
【０１１０】
ステップＳ１０７では、現在、ＬＣＤ２０に表示されている画像データ（後述する「操作」の対象となる選択画像データ：第１のデータ）が、「複数記録モード」で記録された画像データか否か、つまりは他のメモリカードに同一の画像データが存在する（第２のデータに対して特定の関連性を有する）画像データか否かを判別する。この判別は、図２のステップＳ２１６において画像データに付加された、「複数記録モード」で記録したことを示す情報の有無を検出することにより行う。
【０１１１】
ここで、「複数記録モード」で記録された画像データであると判別したときは、ステップＳ１０８に進む。また、「複数記録モード」で記録された画像データではない（「通常記録モード」で記録された画像データである）と判別したときは、ステップＳ１１１に進む。
【０１１２】
ステップＳ１０８では、スロット１カード検出スイッチ１３６およびスロット２カード検出スイッチ１３７を通じてメモリカードの装着状態を確認する。メモリスロット１１３にメモリカード１１４が装着されていることしか検出されなかった場合、つまりはメモリスロット１１５にメモリカードが装着されていないと検出されたときは、ステップＳ１０９に進む。メモリスロット１１３にメモリカード１１４が装着され、かつメモリスロット１１５にもメモリカードが装着されていると検出されたときは、ステップＳ１１０に進む。
【０１１３】
ステップＳ１０９では、選択画像データに対する操作（消去や圧縮率変更などの処理）を禁止し、ブザー１１８から警告音を発生させる。なお、該警告音に代えて又はこれとともにＬＣＤ２０に警告表示を行うようにしてもよい。
【０１１４】
ステップＳ１１０では、メモリスロット１１５に装着されたメモリカード内に、選択画像データと同一の画像データが存在するか否かを判別する。この判別は、画像データのファイル名を付き合わせて行ってもよいし、また複数記録情報に同一画像データを識別する情報を含んでいる場合にはこれを用いて行ってもよい。同一の画像データがない場合は、ステップＳ１０９に進み、上記警告動作を行う。また、同一の画像データ（第２のデータ）があった場合（つまりは、メモリスロット１１５に装着されたメモリカードがメモリカード１１６であった場合）は、ステップＳ１１１に進む。
【０１１５】
ステップＳ１１１では、選択画像データに対する操作を許可し、本シーケンスを終了する。
【０１１６】
こうして操作が許可された選択画像データは、消去ボタン２５の操作に応じて消去されたり、記録画質選択ボタン２６とサブ電子ダイヤル１７の操作に応じて圧縮率や画像サイズが変更されたりすることができる。
【０１１７】
以上説明したように、本実施例によれば、「複数記録モード」で記録された画像データは、該記録時に装着されていた記録媒体が揃っていないと、該画像データに対する消去・やサイズ変更などの操作が許可されない、したがって、「複数記録モード」での記録により相互にバックアップデータとなっている２つの記録媒体上の画像データのうち一方の画像データを消してしまったり、記録媒体間での画像データの不一致が生じたりすることを未然に防止することができる。
【実施例２】
【０１１８】
図３および図４を用いて、本発明の実施例２における撮像装置について説明する。なお、本実施例の撮像装置の外観構成や内部構成は、実施例１（図５〜８）と同じであるので、本実施例において共通する構成要素には実施例１と同符号を付して説明する。
【０１１９】
また、本実施例では、メモリカード１１６には、予め、第２のデータとして、撮影者の著作権に関する情報（以下、著作権情報という）、例えば撮影者の名前、著作物としての管理番号、画像データの著作権が撮影者に帰属する旨を明示した情報が記録されているものとする。
【０１２０】
まず図４を用いて本実施例における撮像シーケンスについて説明する。ＣＰＵ１１７は、ステップＳ４００で、メインスイッチレバー１９が操作された結果、メインスイッチ１４３がオンされると、撮像装置は撮影のためのスタンバイ状態になる。
【０１２１】
次に、ステップＳ４０１において、レリーズボタン７の第１ストローク操作によってレリーズスイッチＳＷ１（１２６）がオンになると、次のステップＳ４０２にて、測光回路１２４による測光を行うとともに、ステップＳ４０３にて、焦点検出回路１２５による焦点検出とを行う。そして、ステップＳ４０４では、ステップＳ４０３での焦点検出結果に基づいて撮影レンズ１５０におけるフォーカスレンズの駆動量を演算し、これをレンズ駆動回路１２２に送信することで、オートフォーカス駆動を行わせる。
【０１２２】
次に、ステップＳ４０５では、ステップＳ４０２での測光結果に基づいて露出制御値を決定する。
【０１２３】
次に、ステップＳ４０６では、レリーズボタン７の第２ストローク操作によってレリーズスイッチＳＷ２（１２７）がオンすると、撮像動作に入る。すなわち、ステップＳ４０７では、ＣＰＵ１１７はコントロール回路１２０に露出制御値を送る。コントロール回路１２０は、固体撮像素子１００の電荷蓄積動作を開始させるとともに、ステップＳ４０８でメカニカルシャッターユニット１２１に先幕走行開始信号を出力し、先羽根群（先幕）の開放駆動を開始させる。次のステップＳ４０９では、固体撮像素子１００への露光と該露光光の電荷蓄積が行われる。
【０１２４】
そして、次のステップＳ４１０では、コントロール回路１２０は、先のステップＳ４０７でＣＰＵ１１７から送られた露出制御値に基づき決定したＴｖ値に応じたタイミングでメカニカルシャッターユニット１２１に後幕走行開始信号を出力し、後羽根群の遮蔽駆動を開始させる。こうして、先羽根群と後羽根群による固体撮像素子１００への露光動作を終了する。
【０１２５】
メカニカルシャッターユニット１２１における後幕走行の終了後も、固体撮像素子１００の電荷値蓄積動作を継続させる。この際、露光時に必要以上の光が入射することで発生するスミアの影響を除去するため、ステップＳ４１１では、固体撮像素子１００の光電変換素子に蓄積された電荷信号を垂直転送ＣＣＤへ移す前に、垂直転送ＣＣＤに漏れ込んだスミア成分を読み出す（垂直転送）。そして、このスミア成分を掃き捨てた後、ステップＳ４１２へ進む。
【０１２６】
ステップＳ４１２では、固体撮像素子１００の電荷蓄積動作を終了させ、光電変換素子に蓄積された電荷信号を垂直転送ＣＣＤへ転送するとともに、電荷信号の読み出し動作である通常読み出しを行う。
【０１２７】
次に、ステップＳ４１３では、所定の画像処理を行い、ステップＳ４１４に進む。
【０１２８】
ステップＳ４１４では、メモリカード１１６に記録されている著作権情報を読み出す。そして、ステップＳ４１５に進み、先に撮像により得られた画像データに著作権情報を付加する。
【０１２９】
次に、ステップＳ４１６では、著作権情報が付加された画像データを、メモリカード１１４に記録する。
【０１３０】
次に、図３を用いて、本実施例における画像編集シーケンス（制御プログラム）について説明する。ここでは、少なくとも図４の撮像シーケンスにおいて撮像画像データが記録されたメモリカード１１４がメモリスロット１１３に装着されているものとして説明する。
【０１３１】
まず、ステップＳ３０１において、ＣＰＵ１１７は、ディスプレイボタン２４が押し込まれ、ディスプレイスイッチ１３３がオンしたか否かを判別する。オンしていれば、ステップＳ３０２に進む。
【０１３２】
ステップＳ３０２では、外部映像表示回路１１０を通じてＬＣＤ２０に、図４の撮像シーケンスにより最後に撮像され、メモリカード１１４に記憶されている画像データを表示させる。
【０１３３】
次に、ステップＳ３０３では、選択ボタン２３が押し込まれてＳＥＬＣＥＣＴ（選択）スイッチ１３２がオンしたか否かを判別する。オンしていればステップＳ３０４に進み、オンしていなければステップＳ３０１に戻る。
【０１３４】
ステップＳ３０４では、サブ電子ダイヤル１７が操作されることによって変化するサブ電子ダイヤルスイッチ１２９の状態を確認する。電子ダイヤルスイッチ１２９の状態が変化していればサブ電子ダイヤル１７の回転方向とクリック数を検出し、不図示のメモリに記憶して、ステップＳ３０５に進む。変化していなけばステップＳ３０２に戻る。
【０１３５】
ステップＳ３０５では、メモリカード１１４に記憶されている画像データから、ステップＳ３０４で記憶されたサブ電子ダイヤル１７の回転方向およびクリック数に応じた画像データを選択し、ＬＣＤ２０上での表示画像を切り換える。
【０１３６】
次に、ステップＳ３０６では、選択ボタン２３が押し込まれてＳＥＬＣＥＣＴ（選択）スイッチ１３２がオンしているか否かを判別する。オンしていればステップＳ３０４に戻り、オフしていればステップＳ３０７に進む。
【０１３７】
ステップＳ３０７では、現在、ＬＣＤ２０に表示されている画像データ（後述する「操作」の対象となる選択画像データ：第１のデータ）が、著作権情報が付加された画像データか否かを判別する。著作権情報が付加された画像データでなければステップＳ３０９に進み、著作権情報が付加された画像データであればステップＳ３１０に進む。
【０１３８】
ステップＳ３０８では、スロット１カード検出スイッチ１３６およびスロット２カード検出スイッチ１３７を通じてメモリカードの装着状態を確認する。メモリスロット１１３にメモリカード１１４が装着されていることしか検出されなかった場合、つまりはメモリスロット１１５にメモリカードが装着されていないと検出されたときは、ステップＳ３０９に進む。メモリスロット１１３にメモリカード１１４が装着され、かつメモリスロット１１５にもメモリカードが装着されていると検出されたときは、ステップＳ３１０に進む。
【０１３９】
ステップＳ３０９では、選択画像データに対する操作（消去や圧縮率変更などの処理）を禁止し、ブザー１１８から警告音を発生させる。なお、該警告音に代えて又はこれとともにＬＣＤ２０に警告表示を行うようにしてもよい。
【０１４０】
ステップＳ３１０では、選択画像データに付加されている著作権情報が、メモリカード１１６に記録されている著作権情報と一致する（選択画像データが第２のデータに対して特定の関連性を有する）か否かを判別する。
【０１４１】
ここで、著作権情報が一致したときは、ステップＳ３１１に進む。また、著作権情報が不一致である場合はステップＳ３０９に進み、警告動作を行う。
【０１４２】
ステップＳ３１１では、選択画像データに対する操作を許可し、本シーケンスを終了する。
【０１４３】
こうして操作が許可された選択画像データは、消去ボタン２５の操作に応じて消去されたり、記録画質選択ボタン２６とサブ電子ダイヤル１７の操作に応じて圧縮率や画像サイズが変更されたりすることができる。
【０１４４】
以上説明したように、本実施例によれば、メモリカード１１６に記録された著作権情報を付加してメモリカード１１４に記録された画像データは、これらメモリカード（画像データが記録された記録媒体とその画像データに付加された著作権情報が記録された記録媒体）が揃っていないと、当該画像データに対する操作が許可されない。したがって、著作権情報を付加した画像データが勝手に消去されたり、改変されたりすることがなく、データの安全性を向上させることができる。
【実施例３】
【０１４５】
図１０には、本発明の実施例２である撮像装置１とその外部に設けられた外部記録装置の一例であるパーソナルコンピュータ４０とをケーブル４１を介して接続（すなわち装着）した状態を示している。
【０１４６】
また、図９には、図９には、本実施例の撮像装置の一側面の構成を示している。図９において、３６はシンクロ端子であり、シンクロコード付きの外部ストロボユニット（図示せず）と接続することができる。３７はリモコン端子であり、コード付きのリモコンユニット（図示せず）と接続することができる。
【０１４７】
３８はデジタル端子（媒体装着部）であり、パーソナルコンピュータ４０に繋がるケーブル４１を接続することができる。これらの接続端子は、撮像装置１のグリップ部とは反対側に配置されている。
【０１４８】
本実施例の撮像装置１には、実施例１にて説明したメモリスロットにメモリカードが装着されたか否かを検出するカード検出スイッチに加えて、デジタル端子３８にケーブル４１が接続されたか否か（つまりはパーソナルコンピュータ４０が装着されたか否か）を検出するスイッチが設けられている。このため、これら検出スイッチにより検出されるメモリカードとパーソナルコンピュータの装着状態や、メモリカードとパーソナルコンピュータのハードディスクに記録されたデータ比較に基づいて、実施例１，２と同様な画像編集シーケンス（制御プログラム）が行われる。
【０１４９】
撮像装置１にて「複数記録モード」が設定されている場合は、撮像装置１にて取得された画像データは、撮像装置１に装着されたメモリカードに記録されるとともに、パーソナルコンピュータ４０内のハードディスク（記録媒体）に転送記録される。
【０１５０】
また、「通常記録モード」が設定されている場合は、撮像装置１にて取得された画像データは、メモリカード又はハードディスクに記録される。
【０１５１】
さらに、上記各実施例では、撮像装置について説明したが、本発明は、撮像装置以外の電子機器であって、複数の記録媒体に対するデータ記録を行えるものの全てに適用することができる。
【０１５２】
また、上記各実施例において説明したデータの記録および記録モードの設定を制御するプログラムをパーソナルコンピュータにて実行させることもできる。
【０１５３】
さらに、上記各実施例では、２つのメモリカードに記録された画像データ同士が同一であることおよび一方のメモリカードに記録された著作権情報が他方のメモリカードに記録された画像データに付加された著作権情報と一致することを「特定の関連性」を有する場合の例として説明したが、「特定の関連性」を有する場合はこれらに限られるものではない。例えば、一方のメモリカード内に他方のメモリカードに記録された画像データのリスト情報を記録しておき、操作の対象として選択された画像データが該リスト情報に掲載されていることをもって「特定の関連性」があるとしていもよい。
【０１５４】
また、一方のメモリカードに記録した画像データに対して画面サイズや圧縮率を変えた画像データを他方のメモリカードに記録しておく場合には、これらの画像データは同一ではないが、同じ撮像動作により生成された画像データ同士として「特定の関連性」があるとしてもよい。
【図面の簡単な説明】
【０１５５】
【図１】実施例１における撮像装置で実行される画像編集シーケンスを説明するためのフローチャート。
【図２】実施例１における撮像装置で実行される撮像シーケンスを説明するためのフローチャート。
【図３】実施例２における撮像装置で実行される画像編集シーケンスを説明するためのフローチャート。
【図４】実施例２における撮像装置で実行される撮像シーケンスを説明するためのフローチャート。
【図５】実施例１，２における撮像装置の上面の構成を示す図。
【図６】実施例１，２における撮像装置の背面の構成を示す図。
【図７】実施例１，２における撮像装置の外部表示器の表示内容を示す図。
【図８】実施例１，２における撮像装置の内部構成を示すブロック図。
【図９】実施例３における撮像装置の一側面の構成を示す図。
【図１０】実施例３における撮像装置とパーソナルコンピュータ（外部記録装置の一例）とを接続した状態を示す図。
【符号の説明】
【０１５６】
１  撮像装置
２  接眼窓
３  ＡＥ（自動露出）ロックボタン
４  測距点選択ボタン
７  レリーズボタン
８  メイン電子ダイヤル
９  撮影モード選択ボタン
１０  ＡＦモード選択ボタン
１１  測光モード選択ボタン
１２  外部液晶表示装置
１７  サブ電子ダイヤル
２０  ＬＣＤ
２１  メモリスロット選択ボタン
３１  メモリスロット
３２  メモリスロット
３３，３４  カード取り外しボタン
１００  固体撮像素子
１１３  メモリスロット
１１４  メモリカード
１１５  メモリスロット
１１６  メモリカード
１１７  ＣＰＵ
１３６  スロット１カード検出ＳＷ
１３７  スロット２カード検出ＳＷ
１５０：撮影レンズ
【図１】
2005176263.tif 000003
【図２】
2005176263.tif 000004
【図３】
2005176263.tif 000005
【図４】
2005176263.tif 000006
【図５】
2005176263.tif 000007
【図６】
2005176263.tif 000008
【図７】
2005176263.tif 000009
【図８】
2005176263.tif 000010
【図９】
2005176263.tif 000011
【図１０】
2005176263.tif 000012